(57)【要約】【課題】適切な半接続状態許可ＭＡＣ−ＩＤの選定を行って、半接続状態を必要とするユーザに対して半接続状態を許可することができる基地局及び基地局制御方法を提供する。【解決手段】移動機識別子を自局の移動機２１に割り当てる割当手段３７と、移動機２１が移動機識別子を保持したまま、移動機２１が省電力になる半接続状態への遷移を許可する情報を生成する生成手段３８と、半接続状態への遷移を許可する情報を移動機２１に送信する制御部１６と、移動機識別子を割り当てている移動機２１に対して、移動機２１の属性情報を要求する要求手段３９と、移動機２１の属性情報に関する応答を取得する取得手段４０と、取得した移動機２１の属性情報に基づいて、半接続状態への遷移を許可する情報を変更する変更手段４１とを備えた。【選択図】図７
2008294680.tif 000002
【特許請求の範囲】
【請求項１】
自局が制御する移動機を識別するための移動機識別子を自局の移動機に割り当てる割当手段と、
移動機が移動機識別子を保持したまま、該移動機が省電力になる半接続状態への遷移を許可する情報を生成する生成手段と、
前記生成手段が生成した前記半接続状態への遷移を許可する情報を前記移動機に送信する送信手段と、
前記移動機識別子を割り当てている前記移動機に対して、該移動機の属性情報を要求する要求手段と、
該要求手段の要求に対する前記移動機の属性情報に関する応答を該移動機から取得する取得手段と、
該取得手段により前記移動機から取得した該移動機の属性情報に基づいて、前記生成手段が生成した半接続状態への遷移を許可する情報を変更する変更手段と、
を備えたことを特徴とする基地局。
【請求項２】
前記移動機の属性情報は、前記移動機の優先度を示し、
前記変更手段は、前記移動機の優先度に応じて、前記半接続状態への遷移を許可する情報を変更することを特徴とする請求項１に記載の基地局。
【請求項３】
自局が制御する移動機を識別するための移動機識別子を自局の移動機に割り当てる割当処理と、
移動機が移動機識別子を保持したまま、該移動機が省電力になる半接続状態への遷移を許可する情報を生成する生成処理と、
生成した半接続状態への遷移を許可する情報を前記移動機に送信する送信処理と、
前記移動機識別子を割り当てている前記移動機に対して、該移動機の属性情報を要求する要求処理と、
該要求処理に対する前記移動機の属性情報に関する応答を該移動機から取得する取得処理と、
該取得処理により前記移動機から取得した該移動機の属性情報に基づいて、生成した半接続状態への遷移を許可する情報を変更する変更処理と、
を備えたことを特徴とする基地局制御方法。
【発明の詳細な説明】
【技術分野】
【０００１】
この発明は、ＣＤＭＡ２０００ Evolution（Ultra Mobile Broadband：ＵＭＢ）に採用される半接続状態（Semi Connected State）に関連する、基地局及び基地局制御方法に関する。
【背景技術】
【０００２】
直交周波数分割多元接続（Orthogonal Frequency Division Multiple Access：ＯＦＤＭＡ）等のテクノロジーを使って高度化されたＣＤＭＡ２０００シリーズの上位レイヤに実装される機能である、半接続動作（Semi Connected Operation）が知られている。
この半接続動作においては、省電力を目的として、メディアアクセス制御識別子（Mediａ Access Control Identifier：ＭＡＣ-ＩＤ）をアサインされるが、上り回線（Reverse Link：ＲＬ）を送信しない、且つ、下り回線（Forward Link：ＦＬ）のアサインされた部分の受信を続ける半接続状態（Semi Connected State）を設ける。半接続状態を設けることにより、半接続状態から通信状態（Open State）へと遷移することができるので、待受状態（Idle State）から通信状態へと遷移する場合より速くなった。
【０００３】
この半接続動作は、ＣＤＭＡ２０００  Air Interface Evolution（Loosely Backwards Compatible：ＬＢＣ）において採用されたものであり（非特許文献１参照）、プッシュツートーク（Push To Talk：ＰＴＴ）の受信時に用いると有効である。例えば、セルラーシステム上でのＰＴＴ（プッシュツートークオンセルラー：ＰｏＣ）においては２以上の端末（移動機、Access Terminal：ＡＴ）がグループとして扱われ、同時に、待機（待受状態）或いは受信状態にある。
【０００４】
つまり、２つ以上の端末をグループ化し、グループ内のある端末が送話しているとき、他の端末は受信状態にすることで、ディスパッチ業務グループコール等の目的に用いる。この動作スタイルでは、端末は殆どの時間を受信のみで対応する。即ち、上りの送信を最小限に抑えることが消費電力の低減に貢献する。このような、端末の消費電力の低減に関する技術については、例えば、「無線通信システム」（特許文献１参照）に開示されている。
ところで、待機状態から通話状態への移行は、アクセスステート、ＭＡＣ-ＩＤの取得などを経る必要があるため、時間がかかる。待受状態のときは、ページング監視周期（通常、１秒から１０秒に設定される）でページングを監視するため、通話の開始が遅くなってしまう。従って、通話の頭の部分が途切れてしまうことが避けられなかった。
【０００５】
これに対し、半接続状態（Semi Connected State）を用いると、基地局からの下りの共通チャネル受信は常時行うことができる。つまり、毎フレーム単位（通常、５〜５００ｍｓ）に送出される下りチャネルのアサインの情報を監視し続ける。通信状態への回復が早く「受話の頭途切れが少ない」半接続状態は、端末がＭＡＣ−ＩＤをアサインされたままトラフィックチャネルのリソースを消費しない状態になっている。
半接続状態（Semi Connected State）とは、移動機が以下の動作をする。
（１）省電力状態
（２）上り送信（リバースコントロールチャネルの送信）はしない
（３）ＭＡＣ-ＩＤを保持する
（４）定期的に上り又は下り回線の割り当て情報（F-SCCH：Forward Shared Control Channel）をモニタする
【０００６】
この半接続状態は、上り送信を行うためにアクセスする（Access Attempt）と、つまり、通信状態へ遷移すると解除される。
【特許文献１】特開２００４−１７２７７２号公報
【非特許文献１】3GPP2  TSG-CC21-20061030-009R2-Qualcomm＿Semi Connected＿Mode.pdf
【発明の開示】
【発明が解決しようとする課題】
【０００７】
しかしながら、半接続状態（Semi Connected State）では、端末が、エアインターフェース上の各セクタ毎に割り当てられる５〜１１ｂｉｔの値であるＭＡＣ-ＩＤをアサインされたまま、受信オンリーの状態になるため、ＭＡＣ-ＩＤが不足する事態が想定される。つまり、同一のセクタ内で無秩序に多くの端末が半接続状態になると、ＭＡＣ-ＩＤが不足して半接続状態を必要とするユーザ（端末）に対して半接続状態への遷移を許可することができなかったり、トラフィックチャネルの空き容量が十分あるのにＭＡＣ−ＩＤが不足して、新たに端末が通信を開始することができない状態が想定されることになる。
【０００８】
このような状態を回避するため、適切な半接続状態を許可するＭＡＣ−ＩＤの選定を行わないと、半接続状態を必要とするユーザに対して半接続状態を許可することができなくなってしまう。
この発明の目的は、適切な半接続状態許可ＭＡＣ−ＩＤの選定を行って、半接続状態を必要とするユーザに対して半接続状態を許可することができる基地局及び基地局制御方法を提供することである。
【課題を解決するための手段】
【０００９】
上記目的を達成するため、この発明に係る基地局は、自局が制御する移動機を識別するための移動機識別子を自局の移動機に割り当てる割当手段と、移動機が移動機識別子を保持したまま、該移動機が省電力になる半接続状態への遷移を許可する情報を生成する生成手段と、前記生成手段が生成した前記半接続状態への遷移を許可する情報を前記移動機に送信する送信手段と、前記移動機識別子を割り当てている前記移動機に対して、該移動機の属性情報を要求する要求手段と、該要求手段の要求に対する前記移動機の属性情報に関する応答を該移動機から取得する取得手段と、該取得手段により前記移動機から取得した該移動機の属性情報に基づいて、前記生成手段が生成した半接続状態への遷移を許可する情報を変更する変更手段と、を備えたことを特徴としている。
また、この発明において、前記移動機の属性情報は、前記移動機の優先度を示し、前記変更手段は、前記移動機の優先度に応じて、前記半接続状態への遷移を許可する情報を変更することが好ましい。
【００１０】
また、この発明に係る基地局制御方法は、自局が制御する移動機を識別するための移動機識別子を自局の移動機に割り当てる割当処理と、移動機が移動機識別子を保持したまま、該移動機が省電力になる半接続状態への遷移を許可する情報を生成する生成処理と、生成した半接続状態への遷移を許可する情報を前記移動機に送信する送信処理と、前記移動機識別子を割り当てている前記移動機に対して、該移動機の属性情報を要求する要求処理と、該要求処理に対する前記移動機の属性情報に関する応答を該移動機から取得する取得処理と、該取得処理により前記移動機から取得した該移動機の属性情報に基づいて、生成した半接続状態への遷移を許可する情報を変更する変更処理と、を備えたことを特徴としている。
【発明の効果】
【００１１】
この発明によれば、適切な半接続状態（Semi Connected State）許可ＭＡＣ−ＩＤの選定が行われて、半接続状態を必要とするユーザに対して半接続状態を許可することができる。
【発明を実施するための最良の形態】
【００１２】
以下、この発明を実施するための最良の形態について図面を参照して説明する。
図１は、この発明の一実施の形態に係る基地局の構成を示すブロック図である。図１に示すように、基地局１０は、アンテナ１１ａを介して、例えば、携帯電話機等の無線通信端末装置である、後述する移動機２１（図３参照）との間で信号の送受信を行うＲＦ送受信部１１、ＲＦ送受信部１１に接続された、送信系ＲＦ回路部１２及び受信系ＲＦ回路部１３、送信系ＲＦ回路部１２に接続された送信変調部１４、受信系ＲＦ回路部１３に接続された受信復調部１５、送信変調部１４及び受信復調部１５が接続され、基地局１０内の動作を制御する制御部１６、制御部１６に接続された記憶部１７を有している。
【００１３】
制御部１６は、ベースバンド信号処理部１８、プロトコル制御部１９、コアネットワークインターフェース制御部２０を有している。コアネットワークインターフェース制御部２０は、携帯通信網等のネットワークＮに接続されている。
尚、本実施例では、「基地局」として説明しているが、「セクタ」も含むものである。
制御部１６は、必要に応じ上記各構成部と協働して、基地局１０またはセクタの収容量に基づき、基地局１０の状態を判定して、移動機２１に対し、半接続状態（Semi Connected State）への遷移を許可する情報（Semi Connected Permit MAC-ID List）を送信する送信手段として機能する。
【００１４】
制御部１６は、必要に応じて上記各構成部と協働して、基地局１０が移動機２１を識別するために割り当てた移動機識別子（ＭＡＣ-ＩＤ）を移動機２１が保持したまま、移動機２１が省電力（power saving state）になる半接続状態への遷移要求（Semi Connected start Request）を移動機２１から受信する受信手段として機能し、この遷移要求に応じて基地局１０の状態を判定し、基地局１０の状態判定の結果、半接続状態への遷移要求に対して許可できない場合、許可できない理由（Reject Reason）を付した遷移要求に対する応答（Semi Connected start Reject）を移動機２１に送信する送信手段として機能する。
【００１５】
基地局１０は、移動機２１を半接続状態へ遷移させる機能を基地局１０がサポートしているか否かにより、基地局１０の状態を判定し、また、基地局１０またはセクタの収容量に基づき、基地局１０またはセクタの状態を判定する。送信手段は、移動機２１を半接続状態へ遷移させる機能を基地局１０またはセクタがサポートしていない場合、基地局１０またはセクタがサポートしていないことを遷移要求に対する応答に付して移動機２１へ送信し、基地局１０またはセクタの収容量が所定値を超えている場合、基地局１０またはセクタが収容量を超えていることを遷移要求に対する応答に付して移動機２１へ送信する。
【００１６】
この基地局１０またはセクタの収容量とは、基地局１０又はセクタが移動機２１を識別するために割り当てた移動機識別子（例えば、ＭＡＣ-ＩＤ）の使用数または残数に基づくものであり、また、基地局１０またはセクタが移動機２１に割り当てている通信チャネルの数または残数に基づくものである。
図２は、この発明の一実施の形態に係る移動機の構成を示すブロック図である。図２に示すように、移動機２１は、アンテナ２２ａを介して基地局１０（図１参照）との間で信号の送受信を行うＲＦ送受信部２２、ＲＦ送受信部２２に接続された、送信系ＲＦ回路部２３及び受信系ＲＦ回路部２４、送信系ＲＦ回路部２３に接続された送信変調部２５、受信系ＲＦ回路部２４に接続された受信復調部２６、送信変調部２５及び受信復調部２６が接続された制御部２７、制御部２７に接続された記憶部２８を有している。
【００１７】
制御部２７は、ベースバンド信号処理部２９、プロトコル制御部３０、マンマシンインターフェース制御部３１を有している。
このマンマシンインターフェース制御部３１には、ＬＣＤ（Liquid Crystal Display）等の表示部３２、情報入力用のキーボード等の入力装置３３、スピーカ３４ａ，３４ｂ、及びマイク３５が接続されている。
制御部２７は、必要に応じて上記各構成部と協働して、移動機識別子（ＭＡＣ-ＩＤ）を保持したまま、移動機２１を省電力（power saving state）にする半接続状態（Semi Connected State）への遷移を許可する情報（Semi Connected Permit MAC-ID List）を基地局１０から受信する受信手段として機能する。
【００１８】
また、自機を半接続状態へ遷移させると判定した場合に、受信した半接続状態への遷移を許可する情報（Semi Connected Permit MAC-ID List）と、自機に割り当てられた移動機識別子（ＭＡＣ-ＩＤ）に基づいて、自機を半接続状態へ遷移するための要求（Semi Connected Start）を基地局１０に送信する送信手段として機能する。
制御部２７は、必要に応じて上記各構成部と協働して、移動機２１を識別するために基地局１０から割り当てられた移動機識別子を保持したまま、移動機２１を省電力にする半接続状態への遷移要求を基地局１０に送信する送信手段として機能し、この遷移要求に対する応答を基地局１０から受信する受信手段として機能し、受信した応答が半接続状態への遷移要求に対して許可できない旨を示している場合、応答に付されている許可できない理由に基づいて、遷移要求を再送制御する制御手段として機能する。
【００１９】
上述した半接続状態（Semi Connected State）とは、移動機２１が以下の動作をする。
（１）省電力状態
（２）上り送信（リバースコントロールチャネルの送信）はしない
（３）ＭＡＣ-ＩＤを保持する
（４）定期的に上り又は下り回線の割り当て情報（F-SCCH：Forward Shared Control Channel）をモニタする
この半接続状態は、上り送信を行うためにアクセスする（Access Attempt）と、つまり、通信状態へ遷移すると解除される。
【００２０】
この制御手段は、応答に付されている許可できない理由が、移動機２１を半接続状態（Semi Connected State）へ遷移させる機能を基地局１０またはセクタがサポートしていない旨を示している場合、遷移要求の再送を行わず、他の基地局１０またはセクタへハンドオフした場合に、新たに遷移要求を他の基地局１０またはセクタに対して送信制御し、応答に付されている許可できない理由が、基地局１０またはセクタの収容量が所定値を超えている旨を示している場合、所定時間経過後に、遷移要求を基地局１０へ再送制御する。
【００２１】
ここで、特定のセクタで移動機識別子（ＭＡＣ-ＩＤ）が不足してしまうことへの対応として、半接続（Semi Connected）モードになる端末（移動機２１）の数の制限を実施する。
半接続（Semi Connected）モードになる移動機２１の数の制限を実施するために、半接続状態（Semi Connected State）に入れる移動機２１の移動機識別子を制限する。
先ず、“アクセスパラメータ（Access Parameter）”メッセージの拡張を行う。これにより、半接続状態（Semi Connected State）に入れる移動機識別子（ＭＡＣ-ＩＤ）のリストを予め報知する。
【００２２】
移動機２１は、“アクセスパラメータ（Access Parameter）”メッセージの内容を使って待受状態（Idle State）に入る。移動機２１は、待受状態から通信状態（Open State）になる際に移動機識別子をアサインされ、通信状態から、自局の移動機識別子が半接続状態許可リストに入っている場合は、半接続状態への遷移要求（Semi Connected Start）メッセージを送信する。
つまり、基地局１０は、半接続状態（Semi Connected State）に入る移動機２１の数を自ずから制限することができ、移動機２１は、自らの移動機識別子（ＭＡＣ-ＩＤ）と半接続状態許可リストを比較することにより、半接続状態に入ることを拒否されるかどうかを、予め知ることができる。従って、基地局１０は、半接続状態（Semi Connected State）に入る基地局（又は１セクター）当たりの移動機２１の数を制限することができる。
【００２３】
次に、基地局１０の制御方法及び移動機２１の制御方法について説明する。
図３は、基地局の制御処理の流れを示すフローチャートである。図３に示すように、先ず、基地局１０が、移動機２１から、移動機２１が省電力になる半接続状態（Semi Connected State）への遷移要求を受信する（Ｓ１０１）。このとき、移動機２１は、基地局１０が移動機２１を識別するために割り当てた移動機識別子（ＭＡＣ-ＩＤ）を保持したままである。
【００２４】
次に、遷移要求に応じて許可できるか、基地局１０又はセクタの状態を判定する（ステップＳ１０２）。この際、基地局１０又はセクタは、移動機２１を半接続状態へ遷移させる機能を基地局１０又はセクタがサポートしているか否かにより、基地局１０又はセクタの状態を判定する。また、基地局１０又はセクタの現在の収容状況に基づいて基地局１０又はセクタの状態を判定する。
状態判定の結果、半接続状態（Semi Connected State）への遷移要求に対して許可できる（ＹＥＳ）場合、移動機２１を半接続状態へ遷移させ（Ｓ１０３）、その後、処理を終了する。一方、半接続状態への遷移要求に対して許可できない（ＮＯ）場合、許可できない理由を付した遷移要求に対する応答を移動機２１へ送信し（Ｓ１０４）、その後、処理を終了する。
【００２５】
つまり、基地局１０は、移動機２１を半接続状態へ遷移させる機能を基地局１０又はセクタがサポートしていない場合、基地局１０又はセクタがサポートしていないことを遷移要求に対する応答に付して送信する。また、基地局１０又はセクタは、基地局１０又はセクタの収容量に基づいて状態を判定し、基地局１０又はセクタの収容量が所定値を超えている場合、基地局１０又はセクタが収容量を超えていることを遷移要求に対する応答に付して送信する。
【００２６】
図４は、移動機の制御処理の流れを示すフローチャートである。図４に示すように、先ず、移動機２１は、移動機２１を省電力にする半接続状態への遷移要求を基地局１０に送信する（Ｓ２０１）。移動機２１は、移動機２１を識別するために基地局１０から割り当てられた移動機識別子（ＭＡＣ-ＩＤ）を保持したままである。
次に、遷移要求に対する応答を基地局１０から受信する（Ｓ２０２）。そして、受信した応答が半接続状態への遷移要求に対して許可できる旨を示しているか判定し（Ｓ２０３）、許可できる（ＹＥＳ）旨を示している場合、半接続状態への遷移を許可し半接続状態へ遷移した後（Ｓ２０４）、処理を終了する。
【００２７】
一方、許可できない（ＮＯ）旨を示している場合、応答に付されている許可できない理由に基づいて、遷移要求を再送するが、このとき、応答に付されている許可できない理由を判定し（Ｓ２０５）、応答に付されている許可できない理由が、移動機２１を半接続状態へ遷移させる機能を基地局１０又はセクタがサポートしていない旨を示している場合、遷移要求の再送を行わず、他の基地局又はセクタへハンドオフするのを待ってハンドオフした場合に、新たに遷移要求をハンドオフした他の基地局１０又はセクタへ送信する（Ｓ２０６）。また、応答に付されている許可できない理由が、基地局１０又はセクタの収容量が所定値を超えている旨を示している場合、所定時間経過後に、遷移要求を再送する（Ｓ２０７）。
【００２８】
図５は、基地局と移動機の間でのメッセージのやり取りを示すシーケンス図である。基地局１０と移動機２１（端末）の間における半接続状態（Semi Connected State）に関連する基本動作手順は、以下の通りになる。
図５に示すように、基地局１０は、半接続状態を許可する移動機２１の情報である識別子リスト（Semi Connected Permit MAC-ID List）を作成する。基地局１０と移動機２１は通信状態（Open State）にあって、基地局１０から移動機２１へ、半接続状態（Semi Connected State）への遷移を許可する情報（Semi Connected Permit MAC-ID List）を送信する。
【００２９】
報知メッセージのフィールドに、半接続状態への遷移を許可する情報（Semi Connected Permit MAC-ID List）を追加し、半接続（Semi Connected）動作を許可する移動機識別子（ＭＡＣ-ＩＤ）のリストを報知する。
移動機２１は、報知された半接続状態許可リスト（Semi Connected Permit MAC-ID List）を受信し、記憶する。そして、移動機２１は、半接続状態許可リストの中の移動機識別子と自分に割り当てられた移動機識別子を比較する。
【００３０】
図６は、移動機識別子と半接続状態許可フラグの対応例を表にして示す説明図である。図６に示すように、半接続状態への遷移を許可する移動機識別子（ＭＡＣ-ＩＤ）には半接続（Semi Connected）許可フラグを１にし、半接続状態への遷移を許可しない移動機識別子（ＭＡＣ-ＩＤ）には半接続状態許可フラグを０にする。
図６に示す例では、基地局１０が移動機２１に対して半接続状態（Semi Connected State）への移行を許可する移動機識別子は、予め固定の領域とされており、図６の例では、半接続（Semi Connected）を許可された移動機識別子（２００〜２５０の５１個）は全体の５１個となる。
【００３１】
半接続状態（Semi Connected State）に入ることができる移動機識別子（ＭＡＣ-ＩＤ）の数が固定であるので、半接続状態が許可されていないＭＡＣ−ＩＤがアサインされた移動機２１に、半接続状態の動作をさせたい場合は、該移動機２１に対して、許可されたＭＡＣ−ＩＤをアサインし直す動作を行う。その動作としては、同一セクタ内でのハンドオフを実行すると良い。
図５の説明に戻る。次に、移動機２１が半接続状態（Semi Connected State）を必要とするアプリケーションを開始する。アプリケーションの開始後、一定時間送信するデータが無い場合、且つ、半接続状態への遷移を許可する情報（Semi Connected Permit MAC-ID List）に示される自己の移動機識別子（ＭＡＣ-ＩＤ）に対応する、半接続状態許可フラグが１である場合、移動機２１から基地局１０へ半接続開始要求（Semi Connected Start Request）を送信する。
【００３２】
基地局１０は、半接続開始要求を受信した後、移動機２１へ、半接続開始拒絶（Semi Connected Start Reject）或いは半接続開始承認（Semi Connected Start Ack）の何れかの半接続応答（Semi Connected Response）を送信する。なお、移動機２１は、基地局１０から報知される半接続状態許可リスト（Semi Connected Permit MAC-ID List）に従って半接続要求（Semi Connected Request）を送信すれば、半接続開始（Semi Connected Start）が拒絶（Reject）されることはないので、無駄な送信を抑えることができる。
【００３３】
基地局１０からの半接続応答が、半接続開始承認（Semi Connected Start Ack）である場合、移動機２１と基地局１０は、半接続（Semi Connected）動作に入る。その後、移動機２１が半接続状態（Semi Connected State）から離脱する場合は、移動機２１から基地局１０へ半接続終了（Semi Connected End）を送り、基地局１０が移動機２１へ半接続終了承認（Semi Connected End Ack）を返して半接続状態から離脱する。
一方、基地局１０からの半接続応答が、半接続開始拒絶（Semi Connected Start Reject）である場合、上述した拒絶の理由に基づいて対応する。
次に、半接続状態への遷移を許可する情報（Semi Connected Permit MAC-ID List）の生成方式について、上記説明以外の他の実施例を説明する。
（実施例１）
【００３４】
実施例１では、移動機２１の属性情報に基づき、基地局１０が半接続状態（Semi Connected State）への遷移を許可する情報（Semi Connected Permit MAC-ID List）を変更して、対応する。
図７は、実施例１における図１の制御部に設けられた移動機制御部の構成を示すブロック図である。図７に示すように、基地局１０の制御部１６、例えば、プロトコル制御部１９には、移動機２１を制御する移動機制御部３６が設けられており、移動機制御部３６は、割当手段３７、生成手段３８、要求手段３９、取得手段４０、及び変更手段４１を有している。
【００３５】
割当手段３７は、自局（基地局）が制御する移動機２１を識別するための移動機識別子（ＭＡＣ-ＩＤ）を、自局の制御対象である移動機２１に割り当てる。生成手段３８は、自局の制御対象である移動機２１が移動機識別子を保持したまま、移動機２１が省電力になる半接続状態（Semi Connected State）への遷移を許可する情報（Semi Connected Permit MAC-ID List）を生成する。生成手段３８が生成した半接続状態への遷移を許可する情報は、制御部（送信手段）１６の制御により、移動機２１に送信される。
【００３６】
要求手段３９は、移動機識別子を割り当てている移動機２１に対して、この移動機２１の属性情報を要求する。取得手段４０は、要求手段３９の要求に対する移動機２１の属性情報に関する応答を、この移動機２１から取得する。変更手段４１は、取得手段４０により移動機２１から取得した、この移動機２１の属性情報に基づいて、生成手段３８が生成した半接続状態への遷移を許可する情報を変更する。
【００３７】
図８は、実施例１における基地局と移動機の間でのメッセージのやり取りを示すシーケンス図である。図８に示すように、基地局１０は、移動機２１に対し移動機２１の属性情報を要求する。要求を受けて、移動機２１は、基地局１０へ、移動機２１の属性情報を回答する。基地局１０は、回答された移動機２１の属性情報に基づき、半接続状態への遷移を許可する情報（Semi Connected Permit MAC-ID List）の変更、つまり、半接続状態許可フラグの変更を行う。
例えば、半接続状態許可フラグを“０”（未許可）に設定している移動機識別子を割り当てられている移動機２１の属性情報に基づき、半接続状態への遷移を優先的に行う必要があると判定した場合、この半接続状態許可フラグを“１”（許可）に変更する。また、反対に、半接続状態許可フラグを“１”（許可）に設定している移動機識別子を割り当てられている移動機２１の属性情報に基づき、半接続状態への遷移を優先的に行う必要がないと判定した場合、この半接続状態許可フラグを“０”（未許可）に変更する。
その後、図８には示していないが、図５のように、変更された半接続状態への遷移を許可する情報（Semi Connected Permit MAC-ID List）が基地局１０から移動機２１に送信される。そして、移動機２１は、この変更された半接続状態への遷移を許可する情報（Semi Connected Permit MAC-ID List）に基づき、自己の移動機識別子に対応する半接続状態許可フラグの内容を確認し、自己の移動機識別子に対応する半接続状態許可フラグが“１”（許可）を示している場合で、半接続状態への遷移を必要とする場合は、移動機２１から基地局１０へ、半接続開始要求（Semi Connected Start Request）を送信する。この要求を受け取った基地局１０は、確認応答である半接続開始承認（Semi Connected Start Ack）を移動機２１へ送信する。確認応答を受け取った移動機２１は、半接続状態（Semi Connected State）に遷移する。
【００３８】
その後、半接続状態を終了する場合、移動機１７が半接続終了（Semi Connected End）を基地局１０へ送信し、半接続終了を受け取った基地局１０は、確認応答である半接続終了承認（Semi Connected End Ack）を移動機１７へ送信する。
ここで、移動機２１（端末）の属性情報とは、その移動機２１の属性を示す情報であり、例えば、その移動機２１が通信優先度（プライオリティ）の高い特定のグループに属することを示す情報である。通信優先度の高い特定のグループとしては、警察や消防等の公共性の高いグループ、或いは一定条件下で優遇される会員グループ等がある。
【００３９】
移動機２１が通信優先度の高い特定のグループで使用されている場合、その移動機２１にアサインされた移動機識別子（ＭＡＣ-ＩＤ）を半接続状態許可リストに新たに加えるとともに半接続状態許可フラグを“１”（許可）に設定することにより、その移動機２１は優先的に半接続状態（Semi Connected State）を使用することができるようにしても良い。つまり、変更手段４１は、移動機２１の優先度に応じて、半接続状態への遷移を許可する情報を変更する。
このように、移動機２１の属性情報に基づき、基地局１０が半接続状態（Semi Connected State）への遷移を許可する情報（Semi Connected Permit MAC-ID List）を変更して、対応することにより、移動機２１の優先度に応じて、適切な半接続状態（Semi Connected State）許可ＭＡＣ−ＩＤの選定が行われて、半接続状態を必要とするユーザに対して半接続状態を許可することができる。
【００４０】
また、移動機２１においては許可される見込みのない半接続状態要求を送信する無駄が無くなり、上りの送信リソースを節約することができる。また、半接続状態を必要とする移動機２１のＭＡＣ−ＩＤを半接続状態への遷移を許可する情報（Semi Connected Permit MAC-ID List）に効果的に組み入れることができる。
（実施例２）
実施例２では、現在、半接続状態（Semi Connected State）への遷移が有効であるアプリケーションを使用している移動機２１が半接続状態への遷移対象となるように、基地局１０が半接続状態への遷移を許可する情報（Semi Connected Permit MAC-ID List）を変更して、対応する。
【００４１】
図９は、実施例２における図１の制御部に設けられた移動機制御部の構成を示すブロック図である。図９に示すように、基地局１０の制御部１６、例えば、プロトコル制御部１９には、移動機２１を制御する移動機制御部４２が設けられており、移動機制御部４２は、割当手段３７、生成手段３８、監視手段４３、及び変更手段４４を有している。即ち、移動機制御部４２は、実施例１の要求手段３９、取得手段４０及び変更手段４１に代えて、監視手段４３及び変更手段４４を有しており、その他の構成及び作用は移動機制御部３６と略同様である。
【００４２】
監視手段４３は、移動機識別子（ＭＡＣ-ＩＤ）を割り当てている移動機２１の中で、半接続状態（Semi Connected State）への遷移が有効であるアプリケーションを使用している移動機２１の、アプリケーション使用時間を監視する。
変更手段４４は、監視手段４３の監視結果に基づいて、半接続状態への遷移が有効であるアプリケーションを所定時間以上使用している移動機２１が検出されると、検出された移動機２１が半接続状態への遷移を許可されているか否かを判定し、この移動機２１が半接続状態への遷移を許可されていない場合、この移動機２１が半接続状態へ遷移することを許可するように、生成手段３８が生成した半接続状態（Semi Connected State）への遷移を許可する情報（Semi Connected Permit MAC-ID List）を変更する。
【００４３】
図１０は、実施例２における遷移許可情報を変更する処理の流れを示すフローチャートである。図１０に示すように、基地局１０と移動機２１の間で通信が開始されると、先ず、半接続状態（Semi Connected State）の適用により電力を低減することができるアプリケーションがスタートする（ステップＳ３０１）。次に、タイマを動作させ経過時間の計測をスタートする（ステップＳ３０２）。このタイマは、半接続状態の適用により電力を低減することができるアプリケーションが終了することで、リセットされる。
【００４４】
次に、計測した経過時間Ｔ１が一定時間を超えた（Ｔ１＞一定時間）か否かを判定する（ステップＳ３０３）。判定の結果、経過時間Ｔ１が一定時間を超えていない（ＮＯ）場合、判定を繰り返し、経過時間Ｔ１が一定時間を超えている（ＹＥＳ）場合、移動機２１のＭＡＣ−ＩＤの半接続許可フラグを立てる（Semi Connected許可Flag＝１）（ステップＳ３０４）。なお、ハンドオフ等で移動機２１が該セクタのＭＡＣ−ＩＤを失った場合には、半接続許可フラグを立てない（Semi Connected許可Flag＝０）。
その後、処理を終了する。
尚、図５のように、変更された半接続状態への遷移を許可する情報（Semi Connected Permit MAC-ID List）は、基地局１０から移動機２１に送信される。そして、移動機２１は、この変更された半接続状態への遷移を許可する情報（Semi Connected Permit MAC-ID List）に基づき、自己の移動機識別子に対応する半接続状態許可フラグの内容を確認し、自己の移動機識別子に対応する半接続状態許可フラグが“１”（許可）を示している場合は、移動機２１から基地局１０へ半接続開始要求（Semi Connected Start Request）を送信する。
【００４５】
半接続状態（Semi Connected State）の適用を必要とするアプリケーションは、主にプッシュツートーク（ＰＴＴ）などに用いられるものであり、ディスパッチ運用をセルラーシステムで行う場合に有効な手段である。例えば、ＰＴＴアプリケーションの使用を開始した移動機２１に対して、その基地局１０で許可できる移動機２１の数迄、半接続状態を許可することができるようにする。例えば、ＰＴＴ等に用いられる、半接続状態を必要とするアプリケーションを一定時間使用した移動機２１のＭＡＣ−ＩＤを、許可に変更したり、新たに半接続状態（Semi Connected State）への遷移を許可するＭＡＣ−ＩＤとして、半接続状態への遷移を許可する情報（Semi Connected Permit MAC-ID List）として半接続状態許可フラグを“１”（許可）に設定して、加える等の方法がある。
【００４６】
このように、現在、半接続状態（Semi Connected State）への遷移が有効であるアプリケーションを使用している移動機２１が半接続状態への遷移対象となるように、基地局１０が半接続状態への遷移を許可する情報（Semi Connected Permit MAC-ID List）を変更して、対応する。これにより、リソースに限りがあり適用に制限がある半接続状態を必要とする度合いが高い移動機２１、即ち、半接続状態を利用するアプリケーションを一定時間使用している移動機２１の選定が行われて、半接続状態を真に必要とするユーザに対して半接続状態を許可することができる。
【００４７】
また、移動機２１においては許可される見込みのない半接続状態要求を送信する無駄が無くなり、上りの送信リソースを節約することができる。また、半接続状態を必要とする移動機２１のＭＡＣ−ＩＤを半接続状態への遷移を許可する情報（Semi Connected Permit MAC-ID List）に効果的に組み入れることができる。
つまり、移動機２１は、既に、半接続状態が許可されたＭＡＣ−ＩＤを有しているので、それを効果的に使用することができる。なお、待ち受けを主とし、待ち受けから発信へのレスポンスを早めることが望まれる、例えば、プッシュツートーク（ＰＴＴ）を使用する場合において、特に有効である。
（実施例３）
【００４８】
実施例３では、現在、半接続状態（Semi Connected State）への遷移が有効であるアプリケーションを使用している移動機２１が半接続状態への遷移対象となるように、移動機２１から要求があった場合に、基地局１０が半接続状態への遷移を許可する情報（Semi Connected Permit MAC-ID List）を変更して、対応する。
図１１は、実施例３における図１の制御部に設けられた移動機制御部の構成を示すブロック図である。図１１に示すように、基地局１０の制御部１６、例えば、プロトコル制御部１９には、移動機２１を制御する移動機制御部４５が設けられており、移動機制御部４５は、割当手段３７、記憶手段４６、及び変更手段４７を有している。即ち、移動機制御部４５は、生成手段３８、要求手段３９、取得手段４０及び変更手段４１に代えて、記憶手段４６及び変更手段４７を有しており、その他の構成及び作用は移動機制御部３６と同様である。
【００４９】
記憶手段４６は、移動機２１が移動機識別子（ＭＡＣ-ＩＤ）を保持したまま、この移動機２１が省電力になる半接続状態への遷移を許可する情報（Semi Connected Permit MAC-ID List）を記憶する。
変更手段４７は、移動機識別子（ＭＡＣ-ＩＤ）を割り当てている移動機２１の中で、半接続状態（Semi Connected State）への遷移が有効であるアプリケーションを使用している移動機２１を識別し、この識別された移動機２１が半接続状態への遷移を許可されているか否かを判定し、この移動機２１が半接続状態への遷移を許可されていない場合、記憶手段４６が記憶している情報に基づいて移動機２１に割り当てている移動機識別子を半接続状態へ遷移することを許可する移動機識別子に変更する。
【００５０】
図１２は、実施例３における基地局と移動機の間でのメッセージのやり取りを示すシーケンス図である。図１２に示すように、移動機２１は、基地局１０に対し、半接続状態（Semi Connected State）へ遷移するための半接続開始要求（Semi Connected Start Request）を送信する。また、このときに、移動機２１からの要求において、移動機２１が、現在、半接続状態（Semi Connected State）への遷移が有効であるアプリケーションを使用している、例えば、プッシュツートーク（ＰＴＴ）を使用していることを知らせる。つまり、基地局１０は、この際に移動機２１が半接続状態への遷移が有効であるアプリケーションを使用していることを検出する。
【００５１】
半接続開始要求を受信した基地局１０は、要求（Request）された移動機２１のＭＡＣ−ＩＤが、半接続状態への遷移を許可する情報（Semi Connected Permit MAC-ID List）に無い場合、ＭＡＣ−ＩＤを変更する。その後、基地局１０は、空き容量割り当てメッセージ（Resource Assignment Message）、即ち、ＭＡＣ−ＩＤの変更を、移動機２１へ送信する。
空き容量割り当てメッセージを受信した移動機２１は、空き容量割り当て承認（Resource Assignment Ack）、即ち、ＭＡＣ−ＩＤの変更確認を、基地局１０へ送信する。空き容量割り当て承認を受信した基地局１０は、半接続状態へ遷移するための応答である半接続開始応答（Semi Connected Start Response）、即ち、半接続（Semi Connected）許可を、移動機２１へ送信する。半接続状態へ遷移するための応答を受信した移動機２１は、半接続状態（Semi Connected State）となる。
【００５２】
その後、移動機２１は、半接続終了（Semi Connected End）を、基地局１０へ送信する。移動機２１から半接続終了（Semi Connected End）を受信した基地局１０は、半接続終了承認（Semi Connected End Ack）を、移動機２１へ送信する。半接続終了承認を受け取った移動機２１は、半接続状態から離脱する。
このように、半接続状態（Semi Connected State）への遷移が有効であるアプリケーションを使用している移動機２１が、半接続状態への遷移を許可する情報（Semi Connected Permit MAC-ID List）に含まれておらず半接続状態への遷移を許可されていない場合に、移動機２１が半接続状態への遷移対象となるように移動機２１から要求（半接続状態を利用するアプリケーションの通知）があると、基地局１０が半接続状態への遷移を許可する情報（Semi Connected Permit MAC-ID List）を変更して、対応する。
【００５３】
これにより、半接続状態を利用するアプリケーションを現実に使用するに際し、半接続状態への遷移を許可されない移動機２１、即ち、半接続状態への遷移を許可されないＭＡＣ−ＩＤを割り当てられた移動機２１に対し、半接続状態を許可するＭＡＣ−ＩＤを再割り当てて半接続状態への遷移を許可する状態で受け入れる。若しくは当該移動機２１に割り当てているＭＡＣ−ＩＤの半接続状態への遷移を許可する。
これにより、半接続状態を真に必要とするユーザに対して半接続状態を許可することができ、また、移動機２１においては許可される見込みのない半接続状態要求を送信する無駄が無くなり、上りの送信リソースを節約することができる。また、半接続状態を必要とする移動機２１のＭＡＣ−ＩＤを半接続状態への遷移を許可する情報（Semi Connected Permit MAC-ID List）に効果的に組み入れることができる。
（実施例４）
【００５４】
実施例４では、基地局１０が、移動機２１に対して半接続状態（Semi Connected State）への遷移を許可する情報（Semi Connected Permit MAC-ID List）を無作為（ランダム）に作成する。つまり、予め固定の領域とされている、基地局１０が移動機２１に対して半接続状態への移行を許可する移動機割当番号（図６参照）を、無作為に発生させて、一定の数以下の無作為なＭＡＣ−ＩＤリストを送る。その他の構成及び作用は実施例１と同様である。
図１３は、実施例４における移動機識別子と半接続状態許可フラグの対応例を表にして示す説明図である。ここでは、半接続（Semi Connected）が許可されている場合のリストの例を示している。図１３においては、
【００５５】
Ｎ  ＭＡＣ−ＩＤ＝１０２４の場合
ｆ(ｘ)＝１or０  ｘ＝０to１０２３  １の総数はN  Semi Connected Permit以下
ＲＮＤ＝０〜１までの間の乱数
IF  RND＜(N Semi Connected Permit)/(N MAC-ID)then f(x)=1 else f(x)=1
である。
なお、本発明は、上述した実施の形態により説明したが、この実施の形態に限定されるものではない。従って、本発明の趣旨を逸脱することなく変更態様として実施するものも含むものである。例えば、上記各実施例（実施例１〜実施例４）を適宜組み合わせた実施例としても良い。
【図面の簡単な説明】
【００５６】
【図１】この発明の一実施の形態に係る基地局の構成を示すブロック図である。
【図２】この発明の一実施の形態に係る移動機の構成を示すブロック図である。
【図３】基地局の制御処理の流れを示すフローチャートである。
【図４】移動機の制御処理の流れを示すフローチャートである。
【図５】基地局と移動機の間でのメッセージのやり取りを示すシーケンス図である。
【図６】移動機識別子と半接続状態許可フラグの対応例を表にして示す説明図である。
【図７】実施例１における図１の制御部に設けられた移動機制御部の構成を示すブロック図である。
【図８】実施例１における基地局と移動機の間でのメッセージのやり取りを示すシーケンス図である。
【図９】実施例２における図１の制御部に設けられた移動機制御部の構成を示すブロック図である。
【図１０】実施例２における遷移許可情報を変更する処理の流れを示すフローチャートである。
【図１１】実施例３における図１の制御部に設けられた移動機制御部の構成を示すブロック図である。
【図１２】実施例３における基地局と移動機の間でのメッセージのやり取りを示すシーケンス図である。
【図１３】実施例４における移動機識別子と半接続状態許可フラグの対応例を表にして示す説明図である。
【符号の説明】
【００５７】
１０  基地局
１１ａ，２２ａ  アンテナ
１１，２２  ＲＦ送受信部
１２，２３  送信系ＲＦ回路部
１３，２４  受信系ＲＦ回路部
１４，２５  送信変調部
１５，２６  受信復調部
１６，２７  制御部
１７，２８  記憶部
１８，２９  ベースバンド信号処理部
１９，３０  プロトコル制御部
２０  コアネットワークインターフェース制御部
２１  移動機
３１  マンマシンインターフェース制御部
３２  表示部
３３  入力装置
３４ａ，３４ｂ  スピーカ
３５  マイク
３６，４２，４５  移動機制御部
３７  割当手段
３８  生成手段
３９  要求手段
４０  取得手段
４１，４４，４７  変更手段
４３  監視手段
４６  記憶手段
Ｎ  ネットワーク
【図１】
2008294680.tif 000003
【図２】
2008294680.tif 000004
【図３】
2008294680.tif 000005
【図４】
2008294680.tif 000006
【図５】
2008294680.tif 000007
【図６】
2008294680.tif 000008
【図７】
2008294680.tif 000009
【図８】
2008294680.tif 000010
【図９】
2008294680.tif 000011
【図１０】
2008294680.tif 000012
【図１１】
2008294680.tif 000013
【図１２】
2008294680.tif 000014
【図１３】
2008294680.tif 000015